(57)【特許請求の範囲】
【請求項１】
建物の躯体に固定される階段の下端部に、床下地材に当接した状態で当該床下地材に食い込み前記床下地材との間で滑り止めされる滑り止め手段を備え、
前記滑り止め手段は、前記階段の下端部に固定されると共に前記床下地材に固定される取付け金物に設けられ、前記階段を前記床下地材に載置させた状態で当該床下地材に食い込む突起部であり、
前記突起部の高さは、前記階段を前記床下地材に載置させた状態で当該床下地材との間で指掛かりとする隙間が形成されるように設定されている階段の位置決め構造。
【請求項２】
前記取付け金物は、
前記階段の下端部に固定された第１固定部と、
前記第１固定部に対して直交して設けられ、前記床下地材に固定され、前記突起部が設けられた第２固定部と、
を含んで構成されている請求項１に記載の階段の位置決め構造。
【請求項３】
前記突起部は、楔形に形成されている請求項２に記載の階段の位置決め構造。
【発明の詳細な説明】
【技術分野】
【０００１】
本発明は、階段の位置決め構造に関する。
【背景技術】
【０００２】
下記特許文献１には、階段を仮止めして設置する階段構造に関する技術が開示されている。具体的には、アルミニウム製の長尺の中空柱材の下端に床取付プレートが設けられ、中空柱材の上端には二階（上階）取付プレートが設けられている。そして、二階取付プレートが二階の梁に仮止めされた状態で、床取付プレートを床板上に固定するようになっている。
【先行技術文献】
【特許文献】
【０００３】
【特許文献１】特許４３６２４８号公報
【発明の概要】
【発明が解決しようとする課題】
【０００４】
しかしながら、この先行技術では、床取付プレートを床板上に固定する際に中空板材が床取付プレートが床板上を滑って位置がずれてしまう可能性がある。
【０００５】
本発明は上記事実を考慮し、階段を固定させる際に床面に対して階段の下端の位置がずれないようにすることができる階段の位置決め構造を得ることが目的である。
【課題を解決するための手段】
【０００６】
第１の態様に係る階段の位置決め構造は、建物の躯体に固定される階段の下端部に、床下地材に当接した状態で当該床下地材に食い込み前記床下地材との間で滑り止めされる滑り止め手段が設けられている。
【０００７】
第１の態様に係る階段の位置決め構造は、建物の躯体に固定される階段の下端部に滑り止め手段が設けられており、当該滑り止め手段は、床下地材に当接した状態で当該床下地材に食い込み、床下地材との間で滑り止めされるようになっている。このため、階段を固定させる際に床下地材に対して階段の下端の位置がずれないようにすることができる。
【０００８】
第２の態様に係る階段の位置決め構造は、第１の態様に係る階段の位置決め構造において、前記滑り止め手段は、前記階段の下端部に固定された第１固定部と前記第１固定部に対して直交して設けられ前記床下地材に当接し当該床下地材に固定される第２固定部とを備えた取付け金物において、前記第２固定部に設けられ、楔形状を成し前記階段を前記床下地材に載置させた状態で当該床下地材に食い込む突起部である。
【０００９】
第２の態様に係る階段の位置決め構造では、滑り止め手段は、取付け金物を備えている。この取付け金物は、第１固定部と第２固定部を含んで構成されており、両者は互いに直交して形成されている。ここで、第１固定部は、階段の下端部に取付けられており、第２固定部は、床下地材に当接し当該床下地材に固定されるようになっている。そして、第２固定部には、楔形状を成す突起部が設けられており、階段を床下地材に載置させた状態で当該突起部が床下地材に食い込むようになっている。
【００１０】
このため、第２固定部が床下地材に当接する際に当該床下地材には突起部が食い込んでいるため、階段の下端部に設けられた取付け金物と床下地材との間で滑り止めされるようになっている。このため、階段を固定させる際に床下地材に対して階段の下端の位置がずれないようにすることができる。また、ここでは、階段に取付け金物を取付けることで、現行の階段において、本発明の適用が可能となる。
【００１１】
第３の態様に係る階段の位置決め構造は、第２の態様に係る階段の位置決め構造において、前記第２固定部において、前記突起部の高さは、前記階段を前記床下地材に載置させた状態で当該床下地材との間で当該第２固定部を指掛かりとする隙間が形成されるように設定されている。
【００１２】
第３の態様に係る階段の位置決め構造では、取付け金物において、階段を床下地材に載置させた状態で、床下地材との間で第２固定部に対して指掛かりが可能となるように突起部の高さを設定している。これにより、作業者は、取付け金物の第２固定部に手（指）を掛けた状態で階段を床下地材に載置させることができる。つまり、作業者は、階段を運ぶときと床下地材に載置させるときとで階段を持つ（把持する）位置を変える必要がない。
【発明の効果】
【００１３】
以上説明したように、本発明に係る階段の位置決め構造は、階段を固定させる際に階段の下端の位置がずれないようにすることができる、という優れた効果を有する。
【図面の簡単な説明】
【００１４】
【図１】本実施の形態に係る階段の位置決め構造が適用された階段を示す斜視図である。
【図２】本実施の形態に係る階段の位置決め構造が適用された階段の下端側が拡大された一部拡大斜視図である。
【図３】本実施の形態に係る階段の位置決め構造が適用された階段の下端側が拡大された一部拡大側面図である。
【図４】本実施の形態に係る階段の位置決め構造が適用された階段において、仕上げが施された状態を示す斜視図である。
【図５】（Ａ）、（Ｂ）は、本実施の形態に係る階段の位置決め構造が適用された階段の下端側が拡大された図２の変形例をそれぞれ示す一部拡大斜視図である。
【図６】本実施の形態に係る階段の位置決め構造が適用された階段の変形例を示す図１に対応する斜視図である。
【発明を実施するための形態】
【００１５】
以下、図面を用いて、本発明の一実施の形態に係る階段の位置決め構造について説明する。
【００１６】
（階段の位置決め構造の構成）
まず、本実施の形態に係る階段の位置決め構造の構成について説明する。図１に示されるように、本実施の形態に係る階段の位置決め構造１０が適用された建物１２は、基礎（図示省略）上に複数の鉄骨の柱１４及び梁１６を組み上げた鉄骨軸組構造の躯体１８で構成されており、当該躯体１８の内側には、金属製の階段として、例えば、鋼製階段２０が設けられている。
【００１７】
図１には、例えば、建物１２の一階部分２２と二階部分２４の間に梁１６が図示されている。この梁１６は、例えば、一階部分２２の天井部２６を構成する躯体の一部を成す天井大梁であり、梁１６には、後述する鋼製階段２０の上端部２０Ａが固定されるようになっている。このため、本実施形態における梁１６は、天井大梁に限るものではなく、天井小梁であってもよい。さらには、二階部分２４の床部（図示省略）を構成する躯体の一部を成す床大梁又は床小梁であってもよい。
【００１８】
当該梁１６は薄形鋼とされており、梁１６の内部には、梁１６の長手方向に沿って配置された一対の箱状の階段上取付け金物２８が設けられている。この階段上取付け金物２８はそれぞれ梁１６に固定されており、階段上取付け金物２８には、鋼製階段２０の上端部２０Ａが固定されるようになっている。
【００１９】
鋼製階段２０は、矩形状を成す複数の踏み板３０を備えており、踏み板３０の長手方向の両端部は、側桁３２にそれぞれ固定されている。この側桁３２には、薄形鋼が用いられており、側桁３２は、その長手方向に対して直交する幅方向の中央部を構成するウエブ３２Ａと、当該ウエブ３２Ａの幅方向の両端部からそれぞれ起立し互いに対向して配置された一対のフランジ３２Ｂと、で構成されている。
【００２０】
また、側桁３２の上端３３には、側桁３２のウエブ３２Ａ及び一対のフランジ３２Ｂに対して、矩形板状の取付ブラケット３４が溶接等により接続され一体化されている。そして、この取付ブラケット３４は、図示しないボルト及びナットを介して、階段上取付け金物２８に固定されるようになっている。
【００２１】
一方、側桁３２の下端３５側には、滑り止め手段としての取付け金物３６が溶接等により側桁３２に固定されている。取付け金物３６は、例えば、鋼製階段２０の正面視で略Ｌ字状を成しており、それぞれ矩形状を成す板状の固定片（第１固定部）３８、固定片（第２固定部）４０が互いに直交した状態で形成されている。そして、一方の固定片３８が側桁３２のウエブ３２Ａに固定され、他方の固定片４０が床下地材４２に固定されるようになっている。
【００２２】
また、固定片３８は高さ方向に沿った方向が長手方向とされ、固定片４０は取付け金物３６が鋼製階段２０に取付けられた状態で、鋼製階段２０の奥行き方向とされる方向が長手方向とされている。なお、床下地材４２は、パーチ、合板、木片セメント板等、表面が比較的軟らかい部材が用いられている。
【００２３】
ここで、固定片４０には、複数（ここでは６箇所）の固定穴４４が貫通しており、釘やネジ４６（図５（Ｂ）参照）等が挿通可能とされている。また、固定片４０の下面側は当接面４０Ａとされており、当該当接面４０Ａは床下地材４２に当接可能とされている。ここで、当接面４０Ａの角部４０Ａ１には、楔形を成す金属製の突起部４８が当接面４０Ａからそれぞれ突出されている。突起部４８は、例えば、溶接などにより当接面４０Ａに一体化されており、鋼製階段２０を床下地材４２に仮置きさせた状態で当該床下地材４２に食い込むようになっている。
【００２４】
また、突起部４８の高さＨは、鋼製階段２０を床下地材４２に仮置きさせる際に、図３に示されるように鋼製階段２０の取付け金物３６の固定片４０の当接面４０Ａと床下地材４２との間に作業者の手が挿入可能（指掛かり可能）な隙間ｔを確保するための寸法となるように設定されている。例えば、隙間ｔとして約２０〜３０ｍｍの寸法を確保するため、突起部４８の高さＨは、約２０〜３０ｍｍに設定される。
【００２５】
（階段の位置決め構造の作用・効果）
次に、本実施の形態に係る階段の位置決め構造の作用・効果について説明する。
【００２６】
一般に、図示はしないが、鋼製階段の施行は、施工現場で組み付ける際にクレーンで吊った状態で作業が行われるが、同じ施工をクレーンを使わずに工場での手作業で行おうとすると、鋼製階段自体の荷重が大きいため、床部に対する決められた位置への仮置きに対して、位置ずれが生じやすい。
【００２７】
このため、例えば、鋼製階段の下端部を床部分の躯体側に直接固定させる方法もあるが、この場合、床下地材に貫通孔を形成させる必要があり、当該貫通孔を形成する手間が掛かってしまう。また、床下地材に貫通孔を形成することにより、耐熱性や防火性等において性能が低下してしまう。
【００２８】
これに対して、本実施形態では、図１及び図２に示されるように、鋼製階段２０の下端部２０Ｂ側に固定された取付け金物３６において、床下地材４２に固定される固定片４０側に当接面４０Ａから突出する楔形の突起部４８を設け、鋼製階段２０を床下地材４２に仮置き（載置）させた状態で当該突起部４８が床下地材４２に食い込むようになっている。
【００２９】
このため、鋼製階段２０の上端部２０Ａに固定された取付ブラケット３４を梁１６に設けられた階段上取付け金物２８に仮止めした状態で、鋼製階段２０の下端部２０Ｂに固定された取付け金物３６を床下地材４２に対して仮置きさせる。この床下地材４２はパーチ、合板、木片セメント板等の表面が比較的軟らかい部材が用いられている。したがって、鋼製階段２０を床下地材４２に仮置きさせただけで、鋼製階段２０の自重により、楔形の突起部４８は当該床下地材４２に自然に食い込み（減り込み）、取付ブラケット３４を介して鋼製階段２０の下端部２０Ｂの位置決めが完了する。
【００３０】
つまり、当該突起部４８が床下地材４２に食い込むことで、取付け金物３６は、床下地材４２との間で滑り止めされるようになっている。このため、作業者による手作業でも、簡単に位置ずれが起きず、また床下地材４２を切り欠くことなく、仮置き作業を簡易的に行うことができる。
【００３１】
そして、鋼製階段２０を仮置きした状態で、鋼製階段２０の上端部２０Ａの取付ブラケット３４を梁１６の階段上取付け金物２８に固定し、鋼製階段２０の下端部２０Ｂの取付け金物３６の固定片４０を床部分５０の躯体（図示省略）に固定する。この状態で、側桁３２の長手方向の中央部に設けられた取付ブラケット５２を柱１４に固定させる。これにより、建物１２内に鋼製階段２０が設置され、当該鋼製階段２０において、上端部２０Ａ及び下端部２０Ｂのみ固定させた場合よりも固定箇所が増える分、鋼製階段２０の設置強度を向上させることができる。
【００３２】
このように、鋼製階段２０を建物１２の内部に設置させた状態で、柱１４及び側桁３２は、図４に示されるように、例えば、間仕切り５４によって覆われるようになっている。そして、鋼製階段２０の表面は、木材製の踏み板５６及び蹴込み板５８によって仕上げ加工が施されるようになっている。一方、床下地材４２の上には、フローリングなどの仕上げ材（図示省略）が敷設されている。
【００３３】
上記のように、本実施形態では、鋼製階段２０を床下地材４２に仮置きさせると、突起部４８が床下地材４２に食い込み、鋼製階段２０の下端部２０Ｂの位置決めが行われる。つまり、鋼製階段２０の位置ずれが抑制・防止され、鋼製階段２０の決めが精緻に行われる。これにより、床下地材４２の上に敷設されるフローリングなどの仕上げ材６０において、仕上げ加工精度が向上する。
【００３４】
一方、本実施形態では、図３に示されるように、取付け金物３６において、突起部４８の高さＨを、鋼製階段２０を床下地材４２に仮置きさせる際に鋼製階段２０の取付け金物３６の固定片４０の当接面４０Ａと床下地材４２との間に作業者の手が挿入可能（指掛かり可能）な隙間ｔとなるように設定している。
【００３５】
これにより、鋼製階段２０を床下地材４２に仮置きさせる際に、鋼製階段２０の取付け金物３６の固定片４０の当接面４０Ａと床下地材４２の床面４２Ａとの間に作業者の手が挿入可能とされ、固定片４０に指を掛けることができる。
【００３６】
したがって、作業者は、鋼製階段２０を運ぶときと床下地材４２に載置させるときとで鋼製階段２０を持つ（把持する）位置を変える必要がない。つまり、鋼製階段２０を床下地材４２に仮置きさせる際に床部分５０の躯体（図示省略）側に固定させる固定片４０側を直接持つことができるため、より精緻に鋼製階段２０の位置決めを行うことができる。
【００３７】
そして、本実施形態では、鋼製階段２０に取付け金物３６を取付けることで、現行の鋼製階段において、本発明の適用が可能となる。
【００３８】
（その他の実施形態）
図２に示されるように、本実施形態では、取付け金物３６の固定片４０に突起部４８が設けられているが、床下地材４２に当接した状態で当該床下地材４２に食い込み、床下地材４２との間で滑り止めされるようになっていればよいため、これに限るものではない。
【００３９】
例えば、図５（Ａ）に示されるように、固定片４０において、固定片４０の長手方向の両端を固定片３８の両端から張り出すように形成し、当該固定片４０の長手方向の両端を、当接面４０Ａから突出する方向へ折り曲げるようにして、折曲片６２をそれぞれ形成してもよい。この折曲片６２の先端部６２Ａが床下地材４２に食い込む構成とされる。
【００４０】
なお、この場合、折曲片６２の先端部６２Ａは、突起部４８（図２参照）と比較すると、尖鋭性が低くなっているが、床下地材４２は軟らかい部材が用いられているため、折曲片６２の先端部６２Ａが床下地材４２に当接すると、折曲片６２の先端部６２Ａは床面４２Ａに減り込んだ状態となる。このような状態も、本発明における、「食い込む」に含まれる。
【００４１】
さらに、固定片４０はビスやネジ４６等により床部分５０の躯体（図示省略）側に固定させることを考えると、図５（Ｂ）に示されるように、突起部４８（図２参照）に代えて、当該ネジ４６を床下地材４２に食い込ませる部材として利用してもよい。
【００４２】
また、本実施形態では、図４に示されるように、鋼製階段２０は木材製の踏み板５６及び蹴込み板５８によって仕上げが行われる旨が記載されているが、図１に示されるように、鋼製階段２０をそのまま用いてもよい。但し、この場合、鋼製階段２０の表面を酸化防止剤でコーティングする等の防錆処理を施す必要がある。さらに、本発明における階段は、鋼製階段２０に限るものではなく、アルミニウム製の階段であってもよい。
【００４３】
また、本実施形態では、鋼製階段２０は、図１に示されるように、直階段に用いられているが、これに限定されるものではない。例えば、図６に示されるように、回り階段に用いられても良い。但し、回り階段の場合、踊り場用の受け材６４が設けられる。このため、鋼製階段２０の上端部２０Ａは、当該受け材６４の下面側に固定されるようになっており、受け材６４の奥側が柱１４の高さ方向の中央部に固定される。
【００４４】
さらに、本実施形態では、鉄骨軸組構造への適用例を説明したが、鉄骨軸組構造以外の工法（例えば、ユニット工法等）による住宅が含まれる他、住宅以外の用途の建物も含まれる。
【００４５】
以上、本発明を実施するための一形態として一実施例を用いて説明したが、本発明はこうした一実施例に何ら限定されるものではなく、本発明の要旨を逸脱しない範囲内において、上述した一実施例に種々の変形及び置換を加えることができる。
【符号の説明】
【００４６】
１０      階段の位置決め構造
１２      建物
１４      柱（躯体）
１６      梁（躯体）
１８      躯体
２０      鋼製階段（階段）
２０Ｂ    下端部（階段の下端部）
３６      取付け金物（滑り止め手段）
３８      固定片（第１固定部）
４０      固定片（第２固定部）
４２      床下地材
４６      ネジ（突起部）
４８      突起部
６２      折曲片（突起部）
Ｈ        突起部の高さ
【図１】
0006654889.tif 000002
【図２】
0006654889.tif 000003
【図３】
0006654889.tif 000004
【図４】
0006654889.tif 000005
【図５】
0006654889.tif 000006
【図６】
0006654889.tif 000007